(57)【要約】【課題】  著作権が許諾されたネイルデザインを、ネットワークに接続されたネイルプリンタによりプリント施術する。【解決手段】  企画参画の企業群からネイルプリントに使用するデザインが提供されると、提供されたデザインに対してはデザインＩＤが付与され、当該デザインＩＤは特定のユーザ端末に対して送付・記録され、当該ユーザ端末に記録された前記デザインＩＤが特定のネイルプリンタに送信されると、当該デザインＩＤが指示するネイルデザインが前記特定のネイルプリンタに対して、予め、前記企画参画の企業群から提供されたネイルプリントに使用するデザインが送信され、当該デザインにより、ネイルプリンタが施術される。【選択図】  図１
2019185229.tif 000002
【特許請求の範囲】
【請求項１】
ネイルプリントシステム全体を管理・制御する管理・制御手段と、企画に参画する複数の企業群と、複数のユーザ端末と、ネイルサロン内に設置された複数台のネイルプリンタとから成り、選択されたネイルプリンタによりユーザのネイルにプリント施術をするネイルプリントシステムにおいて、
前記管理・制御手段は、前記ネイルプリンタによりネイル施術をするネイルデザインの著作権の許諾状態を管理するライセンス管理サーバと、課金処理と決済処理に用いられる課金・決済管理サーバと、利用されるネイルデザインを管理するデザイン管理サーバとを備えており、前記ネイルプリンタにネイルデザインを提供する際には試用するネイルデザインを特定するデザインＩＤを付して著作権が許諾されたデザインを提供することを特徴とするネイルプリントシステム。
【請求項２】
前記デザインＩＤは、少なくとも、施術するネイルデザインの種別、原著作物の著作権者、原著作物ＩＤ、料金形態を関連付けて記録していることを特徴とした請求項１記載のネイルプリントシステム。
【請求項３】
前記ネイルの種別は、デザイン、キャラクタ、占い、入場券などの施術するネイルのデザインの内容を指示するものであることを特徴とした請求項２記載のネイルプリントシステム。
【請求項４】
前記原著作物ＩＤは、著作権者が付与した原著作物のＩＤであり、料金形態として有償、無償、個別対価などが記録されることを特徴とした請求項３記載のネイルプリントシステム。
【請求項５】
種々のネイルデザインをネイルプリントのデザインとして提供する企画に参画する複数の企業群と、複数のユーザ端末を繋ぐネイルプリントの管理・制御システムであって、
前記企画参画の企業群からネイルプリントに使用するデザインが提供されると、提供されたデザインに対してはデザインＩＤが付与され、当該デザインＩＤは特定のユーザ端末に対して送付・記録され、当該ユーザ端末に記録された前記デザインＩＤが特定のネイルプリンタに送信されると、当該デザインＩＤが指示するネイルデザインが前記特定のネイルプリンタに対して、予め、前記企画参画の企業群から提供されたネイルプリントに使用するデザインが送信され、当該デザインにより、ネイルプリンタが施術されることを特徴とするネイルプリントシステム。
【請求項６】
ネイルプリントシステム全体を管理・制御する管理・制御手段と、企画に参画する複数の企業群と、複数のユーザ端末と、ネイルサロン内に設置された複数台のネイルプリンタとから成り、選択されたネイルプリンタによりユーザのネイルにプリント施術を施すネイルプリント施術方法において、
前記管理・制御手段は、前記ネイルプリンタによりネイル施術をするネイルデザインの著作権の許諾状態を管理するライセンス管理サーバと、課金処理と決済処理に用いられる課金・決済管理サーバと、利用されるネイルデザインを管理するデザイン管理サーバとを備えており、
前記ネイルプリンタにネイルデザインを提供する際には、使用するネイルデザインを特定するデザインＩＤを付して著作権が許諾されたデザインを提供することによりネイルプリント施術をすることを特徴とするネイルプリント方法。
【請求項７】
前記デザインＩＤは、少なくとも、施術するネイルデザインの種別、原著作物の著作権者、原著作物ＩＤ、料金形態を関連付けて記録していることを特徴とした請求項６記載のネイルプリント方法。
【発明の詳細な説明】
【技術分野】
【０００１】
本発明は、ネイルプリンタによってネイルにプリントをするシステムに関する。特に、種々のネイルデザインをネットワークなどを介して提供し、ユーザの好みに応じたネイルデザインによりネイルにプリントをすることができるネイルプリントシステムに関する。
【０００２】
さらに、本発明は、ネイルプリンタによってネイルにプリント施術をするシステムに関し、例えば、ネイルサロンに設置された１台以上のネイルプリンタのジェルなどの消耗品の補充・管理をネイルプリントの施術に応じて自動的に行うことができるネイルプリントシステムに関する。
【背景技術】
【０００３】
既存のネイル施術の場合は、ネイリストによる長時間の手作業が必要であり、ネイルサロンでのみ施術される女性のためだけの「爪への装飾」であった。最近になり、そのネイル施術を、手作業に依らずネイルプリンタを用いて短時間に施術できる技術も現れてはきたが、未だに、本発明の求める多様な需要に応えるには十分と言えるものではない。
【先行技術文献】
【特許文献】
【０００４】
特許文献１（特開２０１２−２３２０４２号公報）には、ユーザが自分の指爪画像を所望のネイルデザインとともに送るだけで、簡易にユーザ本人の爪部の形状に合い、かつ、好みのネイルデザインの施された合成爪画像の提供及び付け爪（ネイルチップ）の提供を受けることのできる付け爪サービス提供装置及び端末装置を提供することを課題として、１０円コインを含むユーザの指爪画像と、ユーザが指定したネイル形状のデータ及びネイルデザインのデータとを、ユーザ情報としてユーザの携帯電話機などから送信すると、付け爪サービス提供装置は、これらを受信した後に、爪部形状検出部にて、その受信した指爪画像に基づき爪部形状を検出する一方で、合成爪画像生成部にて、この検出された爪部形状にユーザが指定したネイルデザインを合わせ込み、ユーザの爪部形状に応じた合成爪画像を生成する。そして、この合成爪画像に基づき、ネイルプリンタにて、付け爪を生成する解決手段が記載されている。
【０００５】
特許文献２（特開２０１７−５００９８３号公報）には、爪の上にオブジェクトを生成するなどのネイル施術のためのシステムは、形状情報提供手段と、オブジェクトまたはデザイン提供手段と、施術手段と、制御手段とを備える。形状情報提供手段は、典型的には、第１の制御データを提供するために、爪の形状および／または位置をスキャンする。オブジェクト提供手段は、典型的には、第２の制御データを提供するために、生成されるオブジェクトに関連するオブジェクトデータを提供する。施術手段は、例えば、爪の上にオブジェクトを生成する３Ｄプリンタまたは分注手段である。制御手段は、施術される爪の上に所望のオブジェクトを生成するために、第１および第２の制御データに基づき、施術手段の作動を制御するために使用される。以上の解決手段から成るシステムが開示されている。
【特許文献１】特開２０１２−２３２０４２号公報
【特許文献２】特開２０１７−５００９８３号公報
【発明の概要】
【発明が解決しようとする課題】
【０００６】
本発明は、クオリティの高い精緻な絵画や写真、人気のキャラクタやデザイン、バーコードやＱＲコード（登録商標）などの記号、その他、マークや文字やイラストなどのデザインを、例えば、ネイルサロンに設置してある１台以上のネイルプリンタを用いて、プリント処理により短時間で簡単に施術することができる。
【０００７】
本発明は、プリント処理により短時間で簡単に施術することができ、新規の出店希望者を生み出し、今までにないビジネスの機会を創出しようとするものであり、これまでにない市場の創出、また、新しいコミュニケーションの創出も目指すものである。
【０００８】
これらの新しい市場は、本発明のネイルプリントシステムの趣旨に賛同して参画する企業群が、著作権を有するデザインの使用を許諾した上で使用できるようにすることにより達成される。使用を許諾するデザイン要素は、デザインＩＤを付して提供される。なお、本発明において「企業」との用語は、会社に限るものではなく、企画に賛同して参画する個人や団体を総称する用語として用いる。
【０００９】
昨今、占いのトレンドは、メールや電話、ＬＩＮＥ（登録商標）などによる双方向の占いが主流であり、一兆円市場と言われ、金運、健康運、恋愛運など、女性の圧倒的な関心事を集めている。そこで、運気アップのデザインとしてデザインを人気占い師から推奨させ、ネイルプリンタを導入しているネイルサロン店への導線を作ることも必要である。その際は、占いの結果がデザインＩＤとして付与され、占いの結果に基づいてネイルへの施術が為される。
【００１０】
また、インバウンドへのアプローチとして、民泊とコラボレーションすることで、ネイルを介して、民泊のメディアから事前にユーザの自国で情報に触れるよう告知することができる。また、和風好みの観光客に向けて、千代紙のような和柄や、浮世絵、かな文字、カナ文字、漢字、観光地のご当地柄などを記念ネイルとして施術することもできる。
【００１１】
また、オリンピック、野球、サッカーなどの入場チケットとしての利用も可能である。さらには、応援する競技者やチームへの応援ネイルとしても利用が可能である。
【００１２】
さらに、オリンピックなどで女性アスリート達は爪に「勝負ネイル」を施術することもあり、スポーツ選手などプロフェッショナル達の勝負ネイルの施術の課題もある。また、ギタリストなどのアーティストやスポーツ選手など爪の保護のために、ネイルを施術する習慣のある人たちへ、お守り的なデザインによる「勝負ネイル」の提案も本発明の課題である。
【００１３】
さらに、従前は若い女性の利用に偏っていたネイルの施術を、シニア層、シルバー層、さらには男性への拡大も課題である。そのためには、老若男女を取り込みながら、エンタテイメントとしてネイルプリントの裾野を広げる必要がある。そのためにも、本発明のネイルプリントシステムの趣旨に賛同し、参画する企業群を増やしていく必要がある。
【００１４】
例えば、老人ケア施設などにおいて、有名化粧品メーカが、老人ホームにおける華やかなメイク施術によって、認知症の改善が見られたとのレポートがあるように、常に視界に入るネイルに華やかな色柄、家族や孫の写真、ペットの写真など、また懐かし漫画の主人公などのキャラクタを施術することで、ＱＯＬ（Quality of Life）の向上に期待することができる。また、情報を入れたＱＲコード（登録商標）の施術で徘徊時のサポートに貢献することもできる。また、ショッピングモール、イベント会場、遊園地などで、エンタテイメント性の高いデザインでのインビテーション、パス、チケットなどに代用できるネイルデザインで参入するに際して解決すべき課題がある。
【００１５】
さらに、チャリティーネイル、企業広告ネイル、ギフトネイル、ＬＩＮＥ（登録商標）スタンプとの連動したＬＩＮＥ（登録商標）ネイルなど、爪を媒体とした新しいネイルの可能性を拡げる課題がある。
【課題を解決するための手段】
【００１６】
本発明は、ネイルプリントシステム全体を管理・制御する管理・制御手段と、企画に参画する複数の企業群と、複数のユーザ端末と、ネイルサロン内に設置された複数台のネイルプリンタとから成り、選択されたネイルプリンタによりユーザのネイルにプリント施術をするネイルプリントシステムであり、
前記管理・制御手段は、前記ネイルプリンタによりネイル施術をするネイルデザインの著作権の許諾状態を管理するライセンス管理サーバと、課金処理と決済処理に用いられる課金・決済管理サーバと、利用されるネイルデザインを管理するデザイン管理サーバとを備えており、前記ネイルプリンタにネイルデザインを提供する際には試用するネイルデザインを特定するデザインＩＤを付して著作権が許諾されたデザインを提供することを特徴とする。
【００１７】
さらに本発明においては、前記デザインＩＤは、少なくとも、施術するネイルデザインの種別、原著作物の著作権者、原著作物ＩＤ、料金形態を関連付けて記録していることを特徴とする。
【００１８】
さらに本発明においては、前記ネイルの種別は、デザイン、キャラクタ、占い、入場券などの施術するネイルのデザインの内容を指示するものであることを特徴とする。
【００１９】
さらに本発明においては、前記原著作物ＩＤは、著作権者が付与した原著作物のＩＤであり、料金形態として有償、無償、個別対価などが記録されることを特徴とする。
【００２０】
本発明は、種々のネイルデザインをネイルプリントのデザインとして提供する企画に参画する複数の企業群と、複数のユーザ端末を繋ぐネイルプリントの管理・制御システムであり、
前記企画参画の企業群からネイルプリントに使用するデザインが提供されると、提供されたデザインに対してはデザインＩＤが付与され、当該デザインＩＤは特定のユーザ端末に対して送付・記録され、当該ユーザ端末に記録された前記デザインＩＤが特定のネイルプリンタに送信されると、当該デザインＩＤが指示するネイルデザインが前記特定のネイルプリンタに対して、予め、前記企画参画の企業群から提供されたネイルプリントに使用するデザインが送信され、当該デザインにより、ネイルプリンタが施術されることを特徴とする。
【００２１】
本発明は、ネイルプリントシステム全体を管理・制御する管理・制御手段と、企画に参画する複数の企業群と、複数のユーザ端末と、ネイルサロン内に設置された複数台のネイルプリンタとから成り、選択されたネイルプリンタによりユーザのネイルにプリント施術を施すネイルプリント施術方法において、
前記管理・制御手段は、前記ネイルプリンタによりネイル施術をするネイルデザインの著作権の許諾状態を管理するライセンス管理サーバと、課金処理と決済処理に用いられる課金・決済管理サーバと、利用されるネイルデザインを管理するデザイン管理サーバとを備えており、
前記ネイルプリンタにネイルデザインを提供する際には、使用するネイルデザインを特定するデザインＩＤを付して著作権が許諾されたデザインを提供することによりネイルプリント施術をすることを特徴とする。
【００２２】
さらに本発明においては、前記デザインＩＤは、少なくとも、施術するネイルデザインの種別、原著作物の著作権者、原著作物ＩＤ、料金形態を関連付けて記録していることを特徴とする。
【発明の効果】
【００２３】
本発明のネイルプリントシステムでは、オリジナルデザインやキャラクタなどのコンテンツを、その著作権を有している企画参画の企業からの著作権使用の許諾を得て利用可能としているので、簡単にこれまでのネイル施術の対象ではなかった老若男女をターゲットとしたネイル施術の機会を創出し、市場拡大を図ることができる。
【００２４】
本発明のネイルプリントシステムにおいては、キャラクタなどのコンテンツを使用する際には、著作権の版権管理が重要であるが、本発明のネイルプリントシステムにおいては、デザインＩＤを用いて使用許諾が管理されているために、この版権管理を確実に実現することができる。これにより、本発明のネイルプリントシステムにおいては、参画企業が著作権を有するキャラクタやデザインの使用の際には、原著作権を許諾した場合にのみデザインＩＤを発行することにより、版権管理を確実にしている。
【００２５】
本件発明のネイルプリントシステムでの版権の利用料は、そのキャラクタやデザインの使用回数や使用範囲によって、携帯電話の料金プランのように月額定額制でもライセンス使用料を徴収することで、設置導入のハードルを下げて広範囲での新規のユーザの取り込みを狙うこともできる。また、キャラクタやデザインは、毎月新しい企画のデザインを発信することで、使用者に対して常にフレッシュな興味を喚起することができる。
【００２６】
本発明のネイルプリントシステムによれば、ネイルサロンなどに設置した１台以上のネイルプリンタに用いるインクカートリッジやネイルプリンタ専用のジェルなどの消耗品の補給を自動的に可能なシシテムを構築することができる。これにより、付随する周辺事業の収益確保にも高い可能性がある。
【００２７】
本発明のネイルプリントシステムを利用することにより、ネイルプリンタによる施術技術の簡単な教育で、ネイルプリント技術の習得が可能である。さらに、複数台のネイルプリンタを使った起業へのコンサルティングも可能である。
【図面の簡単な説明】
【００２８】
【図１】本発明の一実施例であるネイルプリントシステムのシステム構成を示したシステム構成図である。
【図２】本発明の一実施例であるネイルプリントシステムにおける、企画への参画の依頼から課金処理までの大まかな全体的な処理手順を示すシーケンス図である。
【図３】本発明の一実施例であるネイルプリントシステムを用いて取得したデザインＩＤをユーザ端末に格納するまでの手順を示すフローチャートである。
【図４】本発明の一実施例であるネイルプリントシステムを用いて取得したデザインＩＤに基づいてネイルプリンタによりネイルをプリント施術するまでの手順を示すフローチャートである。
【図５】本発明の一実施例であるネイルプリントシステムを用いてネイルプリンタの消耗品の申込み手順を示すフローチャートである。
【図６】本発明の一実施例であるネイルプリントシステムに用いるデザインＩＤのデータ形式の一例を示す図である。
【図７】本発明の一実施例であるネイルプリントシステムにおける、消耗品の自動補給システムの処理手順を示すシーケンス図である。
【発明を実施するための形態】
【００２９】
本発明のネイルプリントシステムの一実施例としてのシステム構成図を図１に示す。
【００３０】
図１に示すとおり、本発明のネイルプリントシステム１００は、本システム全体を管理・制御する管理・制御センタの管理・制御手段２００と、本発明の企画に参画し、ネイルデザインを提供する複数の企画参画企業群３００と、本システムを利用可能にするユーザ専用アプリケーションを事前にインストールした複数のユーザ端末４００と、例えば、複数のネイルサロン内に設置された複数台のネイルプリンタ５００とから成っている。
【００３１】
管理・制御手段２００は、ネイルに対してプリントする写真や絵画やイラストやキャラクタなどのデザインの他社・自社ライセンス許諾状態を管理するライセンス管理サーバ２１０と、ユーザが本システムを利用する際の課金処理と決済処理に用いられる課金・決済管理サーバ２３０と、本システムに利用される他社又は自社のネイルデザインを管理するデザイン管理サーバ２５０とを備えている。他社・自社ライセンスを管理するライセンス管理サーバ２１０は、必ずしも管理・制御センタ内に配置する必要はなく、クラウド上で管理しても良いし、企画参画企業群内の記録手段に記録した状態のままでも良い。つまり、本発明のネイルプリントシステムに参画した企業群が著作権を有している原著作物の管理は、ライセンス管理サーバ２１０に保管しても良いし、原著作権者の何れかの記録手段に記録しておいて、デザインＩＤにより、原著作権者の記録手段から直接ネイルプリンタに提供することによっても良い。
【００３２】
本発明のネイルプリントシステム１００は、例えば、ネイルサロン内などに設置されている１台以上のネイルプリンタ５００により、ユーザのネイルに施術するデザインとして、クオリティの高い精緻な絵、記号、ＱＲコード（登録商標）、写真、文字、イラスト、各種マークなどのネイルデザインをユーザ自身の希望により選択可能なものである。それらの利用可能なデザインは、予め、本発明の企画に参画する複数の企業群との間にデザイン使用許諾契約を締結した上で利用される。このような企画及び企画に参画する企業群を多く用意することにより、これまでにないコミュニケーションを生み出し、ビジネスの機会を創出することができる。
【００３３】
そこで、本ネイルプリントシステム１００は、一兆円市場と言われる「占い」のカテゴリーとのコラボレーションも考えるべきである。それにより、女性の圧倒的な関心事である金運、健康運、恋愛運などの占いで、運気ＵＰデザインを人気占い師から推奨させ、ネイルプリンタ導入店への導線を作ることもできる。これについても、企画参画の企業との事前の契約が必要となる。また、昨今の占いのトレンドは、メールや電話、ＬＩＮＥ（登録商標）などによる双方向対話での占いが主流となっている。そこで、本システムにおいては、ユーザは、本発明のネイルプリントシステムを利用可能なアプリケーションにより、事前に占いを行いその結果をデザインＩＤとして取得し、そのデザインＩＤを特定のネイルプリンタに送信することにより、双方向占いでの占い結果に即したネイル施術が施されるようにすることができる。
【００３４】
また、本発明のネイルプリントシステムの企画が、オリンピック、野球、サッカーなどの各種スポーツの応援ネイルとして実現されれば、老若男女を取り込みながら、エンタテイメントとしてネイルプリントの裾野を広げることができる。その際には、オリンピックマークや国旗、野球チームのマークやキャラクタなどのデザインがデザインＩＤとして利用される。
【００３５】
さらに、ショッピングモール、イベント会場、遊園地などで、エンタテイメント性の高いインビテーションパスやチケットなどに変わる手段として、本発明のネイル企画に参入することもできる。その際には、入場券情報のデザインがデザインＩＤとして利用される。
【００３６】
さらには、シニア層、シルバー層への拡大を狙って老人ケア施設などでも、華やかなメイク施術によって、常に視界に入るネイルに華やかな色柄、家族や孫の写真、ペットの写真など、また懐かしキャラクタを施術することで、ＱＯＬ（quality of life）の向上が期待され、認知症の改善が見られたとのレポートもある。また、情報を入れたＱＲコード（登録商標）をネイルに施術することにより徘徊時のサポートに貢献することもできる。その際には、利用されるデザインがデザインＩＤとして利用される。
【００３７】
また、スポーツ選手などプロフェッショナルな人達の勝負ネイルとして施術する企画も可能である。オリンピックなどの女性アスリート達には、ネイルに勝負ネイルを施術し、ギタリストなどのアーティストやスポーツ選手などには、爪の保護のために、ネイルに施術する習慣のある人たちへ、お守り的なデザインによる勝負ネイルの提案ができる。その際には、利用されるデザインがデザインＩＤとして利用される。
【００３８】
また、チャリティーネイル、企業広告ネイル、ギフトネイル、ＬＩＮＥ（登録商標）スタンプとの連動したＬＩＮＥ（登録商標）ネイルなど、爪を媒体とした新しいネイルの可能性を拡げる企画も可能である。その際には、利用されるデザインがデザインＩＤとして利用される。
【００３９】
本発明のネイルプリントシステム１００においては、キャラクタやデザインの使用の際には、デザインＩＤを発行することにより、そのキャラクタやデザインの使用範囲によって、携帯電話の料金プランのように月額定額制でライセンス使用料を徴収することで、設置導入のハードルを下げて広範囲での取り込みを狙うことができる。キャラクタやデザインは、毎月新しい企画デザインを発信することで、常にフレッシュな興味を喚起することもできる。
【００４０】
本発明のネイルプリントシステム１００におけるネイル施術で利用可能なデザインの登録手順としては、ライセンス管理サーバ２１０から、企画参画の企業１（３１０）〜企業ｎ（３５０）に対して企画参画の依頼を行う。企業が企画に賛同した場合には、それに応じて、企業１（３１０）〜企業ｎ（３５０）からライセンス管理サーバ２１０に対して企画参加の許諾が為される。それにより、企業１（３１０）〜企業ｎ（３５０）から、デザイン管理サーバ２５０に対して、デザイン画素が提供される。ここまでの手順の情報のやり取りは、図２に示され、同時に図１の各々の矢印ｅにより示されている。
【００４１】
次に、本発明のネイルプリントシステムの要所々々での処理の手順を説明する。まずは、図３により、ユーザ端末４００が、本発明のネイルプリントシステムを利用可能とするアプリケーションを用いてネイルのデザインＩＤを収得するまでの手順を説明する。なお、当該ユーザ端末４００は、予め、本発明のネイルプリントシステムのアプリケーションを用いるためのＩＤとパスワードの入手を得ているものであり、その手順は説明しないが従来知られた手順である。
【００４２】
ここで、本発明のネイルプリントシステム１００のアプリケーションを起動するためのＩＤとパスワードを既に入手しているユーザ端末４００により、アプリケーションを起動する（Ｓ１１５）。次いで、ユーザ端末４００は、アプリケーションの求めに応じてＩＤとパスワードが送信され（Ｓ１２０）、アプリケーションによりＩＤとパスワードの合致が検査され、正当性が確認される（Ｓ１２５）。ＩＤとパスワードの合致が確認されなければ（Ｓ１２５のＮＯ）、ＩＤとパスワードの再度の送信が求められる（Ｓ１２０）。ＩＤとパスワードの合致が確認されれば（Ｓ１２５のＹＥＳ）ＩＤ＆ＰＷが適正と判断され、ネイルデザインの選択のステップに移行し、これにより、本発明のネイルプリントシステム１００の利用が可能とされ、ライセンス管理サーバ２１０からユーザ端末のディスプレイに対して参加企業を選択する端末画面（図示なし）が表示される。これらの手順における相互の情報は、図１の矢印ａ及び矢印ｂによりやり取りが実行される。
【００４３】
上記端末画面がユーザ端末４００に表示されると、ユーザは、本発明のネイルプリントシステム１００の企画に参画する企業が提供するネイルデザインを選択することができる。つまり、人気のキャラクタをネイルに施術する場合には希望するキャラクタの著作権を所有する企業を選択する（Ｓ１３０）こととなる。ここで、ユーザにより特定の参画企業が選択されると、自らのユーザ端末４００に表示される特定企業の提供する複数のデザインから自分の希望するデザインを選択する（Ｓ１３５）。その際、ユーザ端末４００が特定のデザインを選択すると、それに対応するように生成されたデザインＩＤがデザイン管理サーバ２５０から送付される（Ｓ１４０）。デザインＩＤは、管理センタ内の管理・制御手段２００において生成される。送付されたデザインＩＤは、ユーザ端末４００に格納され（Ｓ１４５）、処理は終了する（１９０）。これらの手順における相互の情報も、図１の矢印ａ及び矢印ｂによりやり取りが実行される。
【００４４】
次いで、図４により、例えば、複数台のネイルプリンタ５００が設置してあるネイルサロンにおいて、デザインＩＤを取得したユーザ端末４００によりネイルにプリント施術をする手順を説明する。
【００４５】
予め取得したデザインＩＤが格納されたユーザ端末４００によりアプリケーションが起動され（Ｓ２１５）、ネイルサロンなどに設置してある特定のネイルプリンタ５００が選択される（Ｓ２２０）。特定のネイルプリンタ５００の選択は、従来知られている赤外線通信又は無線通信などの手法により選択することが可能である。特定のネイルプリンタ５００が適正に選択されていない場合（Ｓ２２５のＮＯ）には、再度、ネイルプリンタ選択のステップ（Ｓ２２０）が実行される。このネイルプリンタ選択の手順は、図３のユーザ端末４００にデザインＩＤを格納する手順に続けて操作することもできる。この場合には、改めてユーザ端末４００を起動する必要はなく、デザイン管理サーバ２５０から購入デザインのデザインＩＤが送信されたのに続けて処理が進められる。
【００４６】
何れにしろ、特定のネイルプリンタ５００が適正に選択された場合（Ｓ２２５のＹＥＳ）には、ユーザ端末４００から、選択された特定のネイルプリンタ５００に対してデザインＩＤが送信される（Ｓ２３０）。送信されたデザインＩＤはその正当性が確認され、送信されたデザインＩＤが正当でないと判断された場合には（Ｓ２３５のＮＯ）、再度、デザインＩＤの再送が行われる。送信されたデザインＩＤが正当であると判断された場合には（Ｓ２３５のＹＥＳ）、デザイン使用許可が為される（Ｓ２４０）。ユーザ端末４００から正当なデザインＩＤが受信されると、図６に記載したように、デザインＩＤに関連付けられた、ネイルの種別、原著作物の著作権者、原著作物ＩＤ、料金形態なども取得されることによって、施術されるべきネイルデザインが取得される。
【００４７】
次いで、ユーザは、使用許可されたネイルデザインが間違いないことを端末画面などで確認すると（Ｓ２４５）、特定のネイルプリンタ５００によりネイルプリントが実行される（Ｓ２５０）。これらの手順における相互の情報も、図１の矢印ｃ及び矢印ｄによりやり取りが実行される。この手順は、図２のシーケンス図でも示されている。
【００４８】
なお、本発明のネイルプリントシステムにおいては、管理・制御手段２００では、提供されたデザイン画素に対してデザインＩＤが生成・付加され、このデザインＩＤには、図６に示すように、ネイルの種別、原著作物の著作権者、原著作物ＩＤ、料金形態などから成る情報が関連付けられている。
【００４９】
その際、デザイン管理サーバ２５０においては、企画参画の企業群から提供されたデザインに対して、著作権の使用許諾の認証としてデザインＩＤが付与される。デザインＩＤは、各ユーザ端末４００に対して送付されるものである。デザインＩＤには、それに対応して、ネイルの種別、原著作物の著作権者、原著作物ＩＤ、料金形態などから成る情報に関連付けられている。ネイルの種別とは、施術するネイルデザインの種別であり、例えば、デザイン、キャラクタ、占い、入場券等々をネイルプリント施術の種別を指示するものである（図６）。原著作物ＩＤとは、著作権者が付与した原著作物のＩＤであり、料金形態としては、デザインの使用内容や有償、無償、個別対価などが記録されている。
【００５０】
次に、本発明のネイルプリントシステム１００における、企画への参画の依頼から課金処理までの大まかな全体的な処理手順のシーケンスの一例を図２に示す。
【００５１】
本発明のネイルプリントシステム１００において、種々の企画に参画する企業群３１０，３２０，３３０，３４０・・・３５０は、本ネイルプリントシステム１００に対して、事前にデザインの利用許諾契約を完了していなければならない。本発明のネイルプリントシステム１００においては、利用可能なデザインであることを証するために、参画企業の所有する著作権の使用を許諾された証としてのデザインＩＤが生成され、利用される。本発明のネイルプリントシステム１００においては、デザインＩＤは、ライセンスを許諾されたデザインであることを証するためのものである。
【００５２】
ユーザがネイル施術に用いるネイルデザインは、端末画面などに教示された実際のデザインから選択することができる。その希望するネイルデザインを施術に使用するためには、デザイン管理サーバ２５０に対して、ＩＤとＰＷを送信することによりネイルデザインの購入処理を必要とする。これにより、デザイン管理サーバ２５０からユーザ端末４００に対して購入したネイルデザインのデザインＩＤが送信され、ユーザ端末は、一旦、送信されたデザインＩＤを格納しておく。
【００５３】
このライセンスを許諾されたデザインであることを証するためのデザインＩＤには、図６に示すように、ネイルの種別、原著作物の著作権者、原著作物ＩＤ、料金形態などから成る情報に関連付けられている。ここで、ネイルの種別とは、施術するネイルデザインの種別であり、図６には「Ａ」として記載されているが、例えば、デザイン、キャラクタ、占い、入場券等々をネイルプリント施術の種別を指示するものである。原著作物ＩＤとは、著作権者が付与した原著作物のＩＤであり、原著作物を提供する企業間との課金処理において必要となる。さらに、料金形態として、図６には「Ｘ」として記載されているが、デザイン使用の内容や有償、無償、個別対価などが記録されている。
【００５４】
ユーザに対するネイル処置には、デザインＩＤを格納したユーザ端末を持参して、例えば、ネイルプリンタが設置されているネイルサロンに出向くことになる。ネイルプリンタ５００には、図示はしないが、従来公知の赤外線通信又は無線通信などの通信手段が設けられており、特定のユーザ端末４００と特定のネイルプリンタ５００が接続される。
【００５５】
ユーザにネイル施術を実施するためには、特定のネイルプリンタ５００に接続されたユーザ端末４００から、ネイルプリンタ５００との接続を確認の後に、当該ネイルプリンタ５００に対して格納してあるデザインＩＤを送る必要がある。デザインＩＤを受信したネイルプリンタ５００は、送られてきたデザインＩＤの正当性の審査のために、管理・制御手段２００のライセンス管理サーバ２１０に対して受信したデザインＩＤを送信する。ライセンス管理サーバ２１０により、送信されてきたデザインＩＤの正当性が確認されると、管理・制御手段２００のデザイン管理サーバ２５０からネイルプリンタ５００に対してネイル施術に用いるネイルデザインを送信する。それにより、ネイルプリンタ５００は、送付されたネイルデザインにより施術を行う。
【００５６】
図２のシーケンス図において、ネイル施術が完了すると、ネイル施術を行った特定のネイルプリンタ５００から管理・制御手段２００の課金・決済管理サーバ２３０に対して、使用したデザインＩＤが送信され、その履歴が蓄積される。ネイルデザインの施術に応じて、ユーザに対しての課金処理が行われる。それと同時に、特定のネイルプリンタ５００に対しては、その利用実績に応じて利用料金が演算され、課金処理が為される。
【００５７】
次に、本発明のネイルプリントシステム１００における、ジェルなどの消耗品の自動補給システムの処理手順のシーケンスの一例を図７に示す。
まず、図５により、本発明の一実施例であるネイルプリントシステムを用いてネイルプリンタの消耗品の申込みの手順を説明する。
【００５８】
例えば、複数台のネイルプリンタを設置するネイルサロンにおいて、特定の一台のネイルプリンタ５００を起動すると（Ｓ３１５）、当該特定のネイルプリンタ５００のＩＤとパスワードを入力する（Ｓ３２０）。次には、今までに当該特定のネイルプリンタ５００で施術したネイルのデザインＩＤを合計し（Ｓ３２５）、その合計の結果から、ジェルの使用量を演算する（Ｓ３３０）。各ネイルプリンタ５００で施術したネイルのデザインは、そのデザインＩＤの合計により分かるのであるから、夫々のデザインＩＤで使用した各ジェルの消費量も分かるし、これらジェルなどの消耗品補給の要否も分かる。それ故に、補給ジェルの有無の判断も可能となる。ここでジェル補給の要否が判断され、ジェル補給が不要と判断されれば（Ｓ３３５のＮＯ）、次のネイルプリンタの処理に入る。ここで、ジェル補給が要と判断されれば（Ｓ３３５のＹＥＳ）、自動的にシステム側から消耗品申込書が送付される。この消耗品申込書の送付はネイルプリンタに付随したモニタなどに表示し、ＯＫボタンの押下で消耗品の申込み（Ｓ３４５）としても良い。消耗品の申込み（Ｓ３４５）に応じて、消耗品発送及び請求書送付が為され（Ｓ３５０）、支払い処理が為される（Ｓ３５５）。
【００５９】
ネイル施術を行った特定のネイルプリンタ５００においては、施術が終了する毎に、施術を終了したデザインＩＤ毎のジェル等の使用量を演算して集計する。夫々のネイル施術の各デザインにおいては、各々使用するジェルなどの消耗品の消費量は分かっているので、その履歴を集計すれば、残余の消耗品の管理が可能である。そこで、消耗品としての特定のジェルがなくなると判断される場合には、自動的に消耗品を購入する申込書を先行して送付するシステムを構築することができる。それにより、ネイルプリンタ５００を設置・管理しているネイルサロンでは、常時、消耗品の残量を確認して消耗品の購入を申し込む手順を実施することができる。それにより、注文した消耗品が送付され、費用の支払いが行われる。
【００６０】
図７において、予め、参画企業からのデザインは供給されて、管理・制御手段２００のデザイン管理サーバ２５０により管理されている。
ネイルプリンタ５００は、ネイル施術を完了すると、施術に使用したデザインＩＤを課金・決済管理サーバ２３０に送信する。管理・制御手段２００では、ネイルプリンタ毎に、施術したネイルデザインに使用されるジェルなどの消耗品の使用量から補充が必要な消耗品を演算する。その演算結果により、補充が必要な消耗品が演算されると、その演算結果に基づいて、特定のネイルサロン分を集計して消耗品購入申込書を、当該ネイルサロンに送付する。この消耗品購入申込書の送付は郵便でも、メールでも、ネット上での申込みでも構わない。
【００６１】
課金・決済管理サーバ２３０は、ネイルサロンからの消耗品注文の申し込みを受けると注文された消耗品を当該ネイルサロンに発送し、費用の支払いを受けることになる。
【符号の説明】
【００６２】
１００：ネイルプリントシステム
２００：管理・制御手段
２１０：ライセンス管理サーバ
２３０：課金・決済管理サーバ
２５０：デザイン管理サーバ
３００：企画参画企業群（３１０：企業１・・・３５０：企業ｎ）
４００：ユーザ端末
５００：ネイルプリンタ
【図１】
2019185229.tif 000003
【図２】
2019185229.tif 000004
【図３】
2019185229.tif 000005
【図４】
2019185229.tif 000006
【図５】
2019185229.tif 000007
【図６】
2019185229.tif 000008
【図７】
2019185229.tif 000009